(57)【特許請求の範囲】
【請求項１】
（い）細長い長方形であって、その一方の短辺を除く周辺にスペーサ片を一体的に突設すると共に、該スペーサ片が突設されていない一端部をＵ字形に凹陥させ、且つレベリングスクリュウのボルト部が通過出来るレベリングスクリュウ導入用切り欠き部と、レベリングスクリュー用開口部とを有し、更に他端部にアンカーボルトが挿通される長辺方向に長い長孔のアンカーボルト用開口部が形成されている従来の自動販売機の据付用Ｅ型固定金具に於いて（ろ）上記Ｕ字型の凹陥部に設けられた上記レベリングスクリュー導入用切り欠き部を、上記長辺側の左右いずれかの側面に、その切り欠き方向を上記アンカーボルト用開口部が設けられ他端部に向かう方向で形成し（は）上記レベリングスクリュー用開口部の周囲を、しぼり加工により立ち上げた形状となし、（に）固定金具の４辺全ての周辺に上記スペーサ片を突設せしめたことを特徴とする自動販売機の据付用固定金具
【請求項２】
請求項１の固定金具を用いる自動販売機の据付固定方法
【発明の詳細な説明】
【技術分野】  本発明は自動販売機の据付用固定金具に関し、更に詳しくは耐震性の極めて優れた固定金具に関する。
【背景技術】  従来自動販売機の固定金具は、日本自動販売機工業会が推奨するＥ型固定金具が通常使用されている。    この従来のＥ型固定金具の一例を示せば図１のＡの如くである。但し図１に於いて、（１）は脚部（自動販売機の）取り付け位置を示すレベリングスクリュー設置用開口部であり、（２）はレベリングスクリューのボルト部（３）が通過出来るレベリングスクリュー導入用切り欠き部であり、（４）はスペーサ片の突起部である。また（５）はアンカーボルト打設用位置を示す開口部である。この従来の固定金具の固定方法を図１のＢ及びＣに示す。図１に於いて、（６）はアンカーボルトである。  先ずレベリングスクリュー用開口部（１）に自動販売機を固定するためのレベリングスクリューのボルト（３）をはめ込み（図１のＢ）、次いで所定の据付固定位置に打設したアンカーボルト（６）に、固定金具の開口部（５）をはめ込み、これ等を図１の（Ｃ）の如く、締め付けて固定するものである。また従来の物ではレベリングスクリューのボルト（３）は、その切り欠き部（２）から開口部（１）に導入されるものである。、更に従来の該固定金具の平面図と断面図を示せば図２の如くである。  但し、図２に於ける番号は図１と同じ事を表わす。  この様な従来の固定金具を用いて自動販売機を据付て固定した場合、耐震性については、今まで充分な検討がなされていなかった。  而して先般の新潟県中越地震の発生時に自動販売機のレベリングスクリューが外れてしまう事態が多々生じ、その地震に対する安全性に大きな問題点のあることが判明した。特に従来の固定金具では、スペーサ片の突起部が形成されていない辺があり，また切り欠き部がこのスペーサ片の無い辺に形成されている為に、レベリングスクリューがはずれ易かった。  幸いにも自動販売機が転倒するまでには至らなかったが、自動販売機の据付で、その前部や両サイドに段差がある場合では、転倒する恐れも充分にあったと考えられる。尚、この様な段差がある据付場所に自動販売機を据付けて固定する場合の代表的な例を示せば、図３の如くであり、もしレベリングスクリューが外れてしまうと、自動販売機が転倒してしまうことは避けられないであろうことが、図３から極めて明らかである。尚、図３中（６）は自動販売機、（７）は段差を示す。
【発明の開示】
【発明が解決しようとする課題】  本発明は、上記従来の固定金具の難点即ち地震時の安全性について不安があるという難点を解決せんとするものであり、更に詳しくは地震時の揺れに対して、脱却しない固定金具を開発し、耐震対応とすることである。
【課題を解決するための手段】この課題は、（い）細長い長方形であって、その一方の短辺を除く周辺にスペーサ片を一体的に突設すると共に、該スペーサ片が突設されていない一端部をＵ字形に凹陥させ、且つレベリングスクリュウのボルト部が通過出来るレベリングスクリュー導入用切り欠き部と、レベリングスクリュ−用開口部とを有し、更に他端部にアンカーボルトが挿通される長辺方向に長い長孔のアンカーボルト用開口部が形成されている従来の自動販売機の据付用Ｅ型固定金具に於いて（ろ）上記Ｕ字型の凹陥部に設けられた上記レベリングスクリュー導入用切り欠き部を、上記長辺側の左右いずれかの側面に、その切り欠き方向を上記アンカーボルト用開口部が設けられ他端部に向かう方向で形成し（は）上記レベリングスクリュウ用開口部の周囲を、しぼり加工により立ち上げた形状となし、（に）固定金具の４辺全ての周辺に上記スペーサを突設せしめることと云う上記手段を全て採用することにより解決出来る。  本発明に於いては、従来のＥ型固定金具に於いて、上記（ろ）から（に）の３つの手段を採用する事によりに依って、地震の揺れに対して、レベリングスクリューが脱却しにくい構造となっていて、実際に脱却が起こり難いのである。  また据付け固定は、自動販売機を４点で、通常は４角の４点で固定するのが基本であるため、固定金具は揺れに対してお互いが相互（４ヶ所）に脱却し難い方向に施工する必要がある。このために、固定金具のレベリングスクリュー用切り欠き部（８）の位置を左右異なる方向としたものが極めて好ましい。  本発明の好ましい一例として、図４及び図５のものを例示することが出来る。図４及び５に於いて、（１）はれベリングスクリュウ用開口部、（８）は切り欠き部、（９）は立ち上り部を示す。
【発明の効果】  本発明の固定金具は、上記の様な特定の切り欠き部（８）を設けていること、開口部周囲に上記立ち上り部（９）を設けていること、及びスペース片を固定金具の４辺に設けていることにより、地震の揺れに対して更に一段と脱却し難くなっている。またこの際上記で述べた２種類の固定金具を組合せて使用することにより、揺れの方向と異なる開口部の固定金具が使用されていることになり、更に脱却し難く、惹いては耐震構造として極めて優れたものとなる。
【発明を実施するための最良の形態】  本発明の固定金具を用いて固定金具を取付ける好ましい方法は、例えば図７〜８に示す如きものである。図５及び６は、本発明の固定金具の一例を示し、図７はその取付方法を示し、図８は取付けた後の状態を示す説明図である。切り欠き部（８）は、その大きさや角度等は、レベリングスクリュウが立上がった状態で開口部に導入出来るかぎり特に限定される事は無く、適宜に決定されれば良い。本発り切り欠き部（８）は、その大きさや角度等は、レベリングスクリュウが立上がった状態で開口部に導入出来るかぎり特に限定される事は無く、適宜に決定されれば良い。  本発明の固定金具には、表面をメッキすることが望ましく、たとえばクロメートやユニクロメッキが好ましく例示出来る。
【図面の簡単な説明】
【図１】図１は従来の固定金具の斜視図である。
【図２】図２は図１の平面図と切断面である。
【図３】図３は自動販売機を段差のある据付場所に据付固定した時の説明図である。
【図４】図４は本発明の固定金具の一例の平面図及び断面図である。
【図５】図５は本発明の固定金具の他の一例の平面図及び断面図である。
【図６】図６は本発明の固定金具の斜視図である。
【図７】図７は本発明の固定金具を用いて取付を行う方法の一例を示す図面である。
【図８】図８は取付けた後の説明図である。
【符号の説明】
１：従来の固定金具のレベリングスクリュー用開口部  ２：従来のレベリングスクリューのボルト導入用切り欠き部  ３：レベリングスクリューのボルト  ４：スペース片  ５：従来のアンカーボルト用開口部  ６：自動販売機  ７：段差  ８：本発明の切り欠き部  ９：本発明の立ち上り部１０；アンカーボルト１１；；自動販売機のレベリング１２；本発明固定金具
【要約】
【課題】    
地震時の揺れに対して、脱却しない固定金具を開発し、免震対応とすること  
【解決手段】
従来の自動販売機の据付用固定金具に於いて、そのレベリングスクリューの開口部を、カギ型の開口部となすと共に、レベリングスクリュウを立上げた状態で該開口部に導入できる溝を設けたこと
【選択図】  図６【図１】
0004277960.tif 000002
【図２】
0004277960.tif 000003
【図３】
0004277960.tif 000004
【図４】
0004277960.tif 000005
【図５】
0004277960.tif 000006
【図６】
0004277960.tif 000007
【図７】
0004277960.tif 000008
【図８】
0004277960.tif 000009